(57)【要約】【課題】車室前方側と車室後方側との間の空気の流通を妨げない収容構造体であって、空調装置と連結されず、簡易な構造をもつ収容構造体を提供すること。【解決手段】車室内に配設される略箱状の収容構造体を、車室前方側に開口する前方側開口と、車室後方側に開口する後方側開口と、前方側開口と後方側開口とを連通する中空のダクト部とを備え、車室前方側と車室後方側との間の空気流路となる空気流路部と、ダクト部の内部に配置され、ファンと、ファンの回転を駆動する駆動手段とを備え、ダクト部内の空気を少なくとも車室前方側から車室後方側に強制流通させるファン部と、を持つものとする。【選択図】図２
2005153802.tif 000002
【特許請求の範囲】
【請求項１】
車室内に配設される略箱状の収容構造体であって、
車室前方側に開口する前方側開口と、車室後方側に開口する後方側開口と、該前方側開口と該後方側開口とを連通する中空のダクト部とを備え、車室前方側と車室後方側との間の空気流路となる空気流路部と、
該ダクト部の内部に配置され、ファンと、該ファンの回転を駆動する駆動手段とを備え、該ダクト部内の空気を少なくとも車室前方側から車室後方側に強制流通させるファン部と、を持つことを特徴とする収容構造体。
【請求項２】
少なくとも前記後方側開口の内部には、前記空気流路部に対して揺動可能に保持され前記空気流路部から車室内へ流出する空気流れの方向を調整する少なくとも１つのブレード部が設けられている請求項１に記載の収容構造体。
【請求項３】
前記ダクト部の内部には、前記ダクト部内を流通する空気を浄化するフィルタ部が設けられている請求項１に記載の収容構造体。
【発明の詳細な説明】
【技術分野】
【０００１】
本発明は、車室内に配設され種々の物品を収容する収容構造体に関する。
【背景技術】
【０００２】
車両の室内には、種々の物品を収容するために箱状の形状に形成されている種々の収容構造体が配設される。収容構造体は、箱内部である収容空間を確保するために、比較的大型に形成されるとともに収容空間の外縁が壁面で区画された構造となっている。このため、収容構造体が配置されている領域において、空気の流通は収容構造体によって阻害される。
【０００３】
例えば、図６に示すように、インストルメントパネルに配設されている空調装置（図示せず）から車室内に吹き込む空気は、主に運転席１００と助手席１０１との間を通って車室前方側１０２から車室後方側１０３に流れるが、運転席１００と助手席１０１との間の床上にコンソールボックスやグラブボックス等の収容構造体１０５が配設されている場合には、この空気流れが図中破線矢印ａに示すように、収容構造体１０５によって阻害される。このため、車室前方側１０２と車室後方側１０３との間の空気の流通が悪くなって車室内の温度等に勾配が生じ、例えば車室前方側１０２は冷暖房が効き過ぎていても車室後方側１０３は冷暖房が効いていない等の問題が発生する場合があった。
【０００４】
一方、収容構造体の一種であるコンソールボックスに空調装置を接続し、コンソールボックス内部を空調装置から吹き込む温冷風によって加温または冷却する方法が開発されている（例えば特許文献１、特許文献２）。
【０００５】
特許文献１および特許文献２に開示されるコンソールボックスは、空調装置に連通接続する供給ダクトを持つものであり、この供給ダクトを介して空調装置から吹き出す空調空気をコンソールボックス内部に導入するものである。そして、コンソールボックス内部に導入された空調空気は、リッドに設けられた容器ホルダ内部に入ることから、容器ホルダに保持されている飲料容器は加温または冷却される。そして、この特許文献１および特許文献２のコンソールボックスにおいて、リッドに入った空調空気はリッドに設けられた開口から車室後方側に流出するため、車室後方側における空調の利きが改善される。
【０００６】
しかしその一方で、特許文献１および特許文献２に開示されるコンソールボックスは、コンソールボックスと空調装置とが連結されているために、例えばコンソールボックスを取り外したりスライド等により移動させたりすることができない問題があった。
【０００７】
また、特許文献１および特許文献２のコンソールボックスにおいて、リッドはコンソール本体に対して回動するため、リッドは供給ダクトに対してもまた回動する。このため、特に供給ダクトからリッドへ空気を導入する部分の構造が非常に複雑となる。そして、複雑な空気流路に空気漏れ等がないように空調空気を流通させるため、各々の部材を精度高く形成する必要があるとともに精度高く組立する必要があり、製造工程が非常に煩雑になる問題があった。
【０００８】
さらに、特許文献１および特許文献２のコンソールボックスでは、空調装置から導入された空気の圧力によってコンソールボックス内の空気を流通させているが、ここに開示されるコンソールボックスでは空気の流路が複雑であるため、充分に空気を流通させるためには空調装置から流出する空気の圧力を大きくする必要がある。しかし、例えば、供給ダクトを空調装置のダクトから分岐させる場合には、空調空気は流通に高い圧力を必要としない他の吹出口からも流出するため、供給ダクトに流入する空気の圧力が充分に高くならず、コンソールボックス内の空気の流通が充分になされない場合がある。また、ダンパ等で他の吹出口への空気の供給を遮断しつつ供給ダクトに高圧で空気を送り込む場合には、空調装置の駆動モータ等に多大な負荷がかかる場合がある。
【特許文献１】特開平９−２０７６４３号公報
【特許文献２】特開平１０−０１６６３０号公報
【発明の開示】
【発明が解決しようとする課題】
【０００９】
本発明は上記事情を考慮してなされたもので、車室前方側と車室後方側との間の空気の流通を妨げない収容構造体であって、空調装置と連結されず、簡易な構造をもつ収容構造体を提供することを目的とする。
【課題を解決するための手段】
【００１０】
前記課題を解決する本発明の収容構造体は、車室内に配設される略箱状の収容構造体であって、
車室前方側に開口する前方側開口と、車室後方側に開口する後方側開口と、前方側開口と後方側開口とを連通する中空のダクト部とを備え、車室前方側と車室後方側との間の空気流路となる空気流路部と、
ダクト部の内部に配置され、ファンと、ファンの回転を駆動する駆動手段とを備え、ダクト部内の空気を少なくとも車室前方側から車室後方側に強制流通させるファン部と、を持つことを特徴とする。
【００１１】
本発明の収容構造体において、少なくとも上記後方側開口の内部には、上記空気流路部に対して揺動可能に保持され上記空気流路部から車室内へ流出する空気流れの方向を調整する少なくとも１つのブレード部が設けられていることが好ましい。
【００１２】
本発明の収容構造体において、上記ダクトの内部には、上記ダクト内を流通する空気を浄化するフィルタ部が設けられていることが好ましい。
【発明の効果】
【００１３】
本発明の収容構造体は、前方側開口、後方側開口およびダクト部を備える空気流路部を持つ。車室前方側の空気は前方側開口を介してダクト部に流入し、さらに、後方側開口を介して車室後方側に流出する。この空気流路部のうちダクト部の内部には、ファンと駆動手段とからなるファン部が設けられているため、ダクト部内の空気はファンの回転によって強制流通される。
【００１４】
ここで、ダクト部内の空気がファン部によって強制的に流通することで、収容構造体付近の空気流れも同時にファン部によって規制される。すなわち、ファン部がダクト内の空気を車室前方側から車室後方側へ強制流通させる場合には、車室前方側の空気が収容構造体の空気流路部に吸い込まれ、かつ、車室後方側に流出する。また、ファン部がダクト内の空気を車室後方側から車室前方側へ強制流通させる場合には、車室後方側の空気が収容構造体の空気流路部に吸い込まれ、かつ、車室前方側に流出する。このため、従来のコンソールボックス等とは異なり、空気流路部を空調装置に連通接続して空調装置から流出する空気の圧力によって空気流路部内の空気を強制流通させる必要がない。したがって、空調装置が動いていない場合等であっても車室内の空気を循環させることができ、車室内の温度等の勾配をなくすことができる。
【００１５】
なお、ファンを駆動する駆動手段はモータ等の既知のもので良く、シガーソケットや電池等を電源にすることができる。このため、駆動手段と電源とは容易に繋いだり離したりすることができ、例えば収容構造体を脱着可能なものとした場合等にも、容易に取付あるいは取り外しすることができる。
【００１６】
そして、空気が流通する空気流路部は、前方側開口、後方側開口およびダクト部からなる簡単な構造であるため特に空気漏れ等の対策をする必要はなく、製造工数が低減されるとともに煩雑な工程を伴わずに製造することが可能となる。
【発明を実施するための最良の形態】
【００１７】
本発明に係る収容構造体は、上述したように、内部に種々の物品を収容する略箱状の収容構造体である。この収容構造体は、例えば、コンソールボックスやドリンクホルダ等として車両に配設されるものである。以下、本発明の収容構造体の一例を図面を基に説明する。
【実施例】
【００１８】
本実施例の収容構造体はコンソールボックスである。本実施例の収容構造体の模式斜視図を図１に示し、本実施例の収容構造体を図１中平面Ａで切断した模式断面図を図２に示し、本実施例の収容構造体を図１中平面Ｂで切断した模式断面図を図３に示す。また、本実施例の収容構造体のうちダクト部を表す模式斜視図を図４に示す。そして、本実施例の収容構造体を車室内に配置した様子を表す模式斜視図を図５に示す。以下、収容構造体の上、下、左、右、前、後とは、図１に示す上、下、左、右、前、後を指すものとする。
【００１９】
本実施例の収容構造体１は、コンソールボックスの外壁を構成する箱状の本体部２と、本体部２の上方を覆うリッド３とを備えている。本体部２のうち前方部および中央部には、上方に開口する凹形状の収容空間５が各々形成されている。本体部２の前方部に形成されている収容空間５は、飲料容器等を保持するドリンクホルダ６となる。また、本体部２の中央部に形成されている収容空間５は小物類を収容する小物入れ７となる。小物入れ７の開口部はリッド３で覆われている。リッド３は本体部２の前後にスライド可能に取付されており、このリッド３のスライドによって小物入れ７が開閉される。
【００２０】
本体部２のうち車室前方側の面には、左右の位置に１つずつの開口が設けられている。この開口が前方側開口８となる。また、本体部２のうち車室後方側の面には１つの開口が設けられている。この開口が後方側開口１０となる。各々の前方側開口８と後方側開口１０とは、前側部分が２又に分岐した筒状のダクト部１１によって連結されている。
【００２１】
本実施例の収容構造体１においては、２つの前方側開口８と１つの後方側開口１０とダクト部１１とによって空気流路部１２が構成される。この空気流路部１２は、車室前方側と車室後方側との間の空気の流路となる。したがって、図５に示されるように、車室前方側から車室後方側への空気の流れｂが収容構造体１によって阻害されることはなくなる。
【００２２】
また、この空気流路部１２は前方側開口８と後方側開口１０とダクト部１１とからなり非常に簡単な構造であるため、特に空気漏れ等の対策をする必要はなく、各部品の製造や組立に多大な時間やコストを要しない。
【００２３】
空気流路部１２のうち、後方側開口１０および２つの前方側開口８の内部には、略平板状のブレード部１３が水平方向に列設されてなる水平ブレード群１６と、略平板状のブレード部１３が垂直方向に列設されてなる垂直ブレード群１５とをもつレジスタ１７が取付されている。水平ブレード群１６および垂直ブレード群１５の各々のブレード部１３は、空気流路部１２に対して揺動可能に保持されており、各々のブレード部１３が揺動して空気流路部１２に対する角度が変わることによって、空気流路部１２から車室内に流出する空気流れの方向が調整される。このため、本実施例の収容構造体１では、より多様な位置における温度等の勾配をなくすことができる。
【００２４】
ダクト部１１のうち後方側開口１０付近の内部には、ファン部１８が設けられている。このファン部１８は、ファン２０と、モータからなる駆動手段（図示せず）とからなる。駆動手段には図示しない差込プラグが設けられており、この差込プラグが図示しないインストルメントパネルに配設されているシガーソケットに差し込まれて電気が供給されるようになっている。この駆動手段に駆動されて、ダクト部１１内の空気を車室前方側から車室後方側に強制流通させる方向にファン２０が回転する。したがって、このファン部１８によってダクト部１１内部の空気の流通が充分におこなわれ、車室内の空気の流通が充分におこなわれる。また、ファン部１８によってダクト部１１内部の空気を強制流通させることで、空気流路部１２を空調装置に連通接続しなくても空気の流通を充分におこなうことが可能となる。また、空気の流通を空調装置に依存せずにおこなうことができるため、例えば、空調装置が動いていない場合等であっても車室内の空気を充分に循環させることができ、車室内の温度等の勾配をなくすことができる。
【００２５】
さらに、ダクト部１１のうちファン部１８が設けられている位置よりもやや前側の内部には、ダクト部１１内を流通する空気を浄化するフィルタ部２１が設けられている。このフィルタ部２１は、空気中を浮遊する塵を捕集するものであり、中空の枠内部にプリーツ状に折り畳まれた不織布が保持されてなる。フィルタ部２１が設けられていることで本実施例の収容構造体１は空気清浄機としての機能が付与されるため、別途空気清浄機を配設する必要がなくなるとともに、空気流路部１２から流出する空気を清浄にすることができる。
【００２６】
本体部２の下側には、本体部２の前後方向に延びるスライド爪２３が設けられている。このスライド爪２３は車室の床上に固定され車室の前後方向に延びるスライドレール２５にスライド係合する。したがって本実施例の収容構造体１は、車室内をスライドレール２５に沿って前後にスライド移動し、車室内の種々の位置で使用することができるようになっている。
【００２７】
なお、本発明の収容構造体１は、実施例のものに限らず種々の構成とすることができる。
【００２８】
例えば、本実施例の収容構造体１において、空気流路部１２は２つの前方開口部と１つの後方開口部とがダクト部１１によって連通されたものであるが、前方側開口および後方側開口は各々１つのみ設けることもできるし、２つ以上の複数個設けることもできる。何れの場合にも、前方側開口および後方側開口はダクト部によって連通されて、車室前方側と車室後方側との間の空気の流路となる。
【００２９】
また、ダクト部は前方側開口と後方側開口とを気密に連通するものでなくても良く、例えば収容構造体の箱内部や収容構造体の外部に連通する連通口を持つものであっても良い。
【００３０】
また、本実施例の収容構造体１では、複数個のブレード部１３が設けられているが、ブレード部は設けなくてよいし、１つのみを設けてもよい。上述したように、ブレード部を設けることで、車室内のより多様な位置における温度勾配等をなくすことができるが、ブレード部を設けない場合にも、車室前方側と車室後方側との間の空気の流通は充分におこなわれる。
【００３１】
さらに、ファン部として、車室前方側から車室後方側へ空気を強制流通させるものだけでなく、車室後方側から車室前方側へも空気を強制流通させるものを用いることもできる。この場合、車室内の空気の流通を多方向からおこなうことができるため、車室内の温度等の勾配をより少なくすることができる。なお、車室前方側から車室後方側への空気の流通と、車室後方側から車室前方側への空気の流通とを強制的に行うファン部としては、ファンを逆方向にも回転させることのできる駆動手段を備えるものや、ファンの回転の方向が異なる複数のファン部からなるものを用いることができる。
【００３２】
そして、フィルタ部もまた本実施例の構成に限らず既知の種々のフィルタを用いることができる。例えば、不織布の代わりに空気が流通する多孔体を用いることもできるし、フィルタ部に種々の脱臭材が保持されて脱臭機能が付与されたものを用いることもできる。
【００３３】
また、本実施例の収容構造体は、車室内を前後にスライドするものであるが、これに限らず、脱着可能なものとすることもできるし、あるいは固定されたものとすることもできる。何れの場合にも、ダクト部内の空気をファン部によって強制流通させるため、車室内の空気が充分に流通して車室内の温度等の勾配が少なくなる。
【図面の簡単な説明】
【００３４】
【図１】実施例の収容構造体を表す模式斜視図である。
【図２】実施例の収容構造体を図１中平面Ａで切断した模式断面図である。
【図３】実施例の収容構造体を図１中平面Ｂで切断した模式断面図である。
【図４】実施例の収容構造体のうちダクト部を表す模式斜視図である。
【図５】実施例の収容構造体を車室内に配置した様子を表す模式斜視図である。
【図６】従来の収容構造体を車室内に配置した様子を表す模式斜視図である。
【符号の説明】
【００３５】
１：収容構造体  ８：前方側開口  １０：後方側開口  １１：ダクト部  １２：空気流路部  １３：ブレード部  １８：ファン部  ２０：ファン  ２１：フィルタ部
【図１】
2005153802.tif 000003
【図２】
2005153802.tif 000004
【図３】
2005153802.tif 000005
【図４】
2005153802.tif 000006
【図５】
2005153802.tif 000007
【図６】
2005153802.tif 000008